(57)【要約】【課題】接着テープなどのテープカッターにおいて、簡易で安価な構造を採用し本来の利便性を損なわず、切断刃に対して利用者の安全を充分に確保し得る、テープカッターを開発する。【解決手段】リング状のテープを回転自在に取り付けるテープ保持部と、引き出されたテープを水平に切断する切断刃が固定される切断部とが台座に設けられたテープカッターにおいて、切断部には、切断刃を安全に覆う柔軟で弾力性を有する半円筒状形状の保護具が付設され、テープを切断する際には、保護具が保有する柔軟性と弾力性に凌駕して、引き出されるテープの押圧力によって保護具が切断刃より下方に低下し、テープが切断刃により切断され、切断後には保護具がその弾性により上方に復帰することを特徴とする、保護具付き安全テープカッター。【選択図】  図１
2008195465.tif 000002
【特許請求の範囲】
【請求項１】
リング状のテープを回転自在に取り付けるテープ保持部と、引き出されたテープを水平に切断する切断刃が固定される切断部とが台座に設けられたテープカッターにおいて、切断部には、切断刃を安全に覆う柔軟で弾力性を有する保護具が付設され、テープを切断する際には、保護具が保有する柔軟性と弾力性を凌駕して、保護具が引き出されるテープの押圧力によって切断刃より下方に低下して、テープが切断刃により切断され、切断後には保護具がその弾性により上方に復帰することを特徴とする、保護具付き安全テープカッター。
【請求項２】
保護具が柔軟性と弾力性を併せ有する合成樹脂により略半円筒形状に形成され、略半円筒形状の長手方向が水平になるように切断部に付設され、長手方向の略半円筒状体の上部には切り欠き部が設けられてテープ切断部とされることを特徴とする、請求項１に記載された保護具付き安全テープカッター。
【請求項３】
保護具の下部に脚体が備えられ、台座の切断部に設けられた空隙部に脚体が差し込まれ接合固着されることを特徴とする、請求項２に記載された保護具付き安全テープカッター。
【発明の詳細な説明】
【技術分野】
【０００１】
本発明は、事務用品としての接着テープなどのテープカッターに関し、具体的には、切断部の切断刃を安全に覆う保護具が設けられた安全テープカッターに係わるものである。
【背景技術】
【０００２】
セロファンテープなどと通称される接着テープは、セロファンや樹脂材料のテープ状基材に接着剤が塗布された接着用の粘着テープであり、オフィスや家庭において書類の貼付や包装材の接合など広範な固着用途において、事務用品などとして汎用されている。
かかる接着テープは、ワンタッチで切断し貼着使用する利便化のために、専ら、テープカッターと称されるテープ固定台に装着されて、机上などに常時載置されて利用されている。
【０００３】
テープカッターにおいては、利便性のために接着テープを片手の指先だけで摘み把持し引き出し切断して使用するので、机上で滑り移動しない様に重りが内在されて一定の重量を有している。そして、テープカッターは周知のとおりに通常には、リング状に巻き重ねられた接着テープを回転体に固着し、回転体を回転自在に取り付けるテープ保持部と、引き出された接着テープを切断刃に押し当てて水平状態で所望の長さに切断する、切断刃が固定される切断部が台座に設けられた構造を有している。    
切断部における切断刃は通常は、微小な刃が波状に連続した、鋸状の金属製の板体刃であり、刃部が上向きにされて垂直に切断部に一体化されている。そして、常時に接着テープを切断して使用するために、テープカッターは机上などに載置され、切断使用後の接着テープの切断端部は刃部の一端側に残り付着しているが、刃部は剥き出しにされている状態で机上などに常時置かれている。
したがって、テープカッターを使用しない時に、不用意にその切断刃の刃部に指先や手が触れて小さな切り傷を負ったり、衣服の袖口などを引っ掛けて布地を解れさせる危険が常在している。カッター台には重りが内在されて重くなっているので、切り傷や引っ掛け解れが意外に大きくなることもある。
【０００４】
この様な危険を避けるために、切断部に着脱自在な保護カバーを設けることも考えられるが、接着テープの使用時にはその度毎にカバー体を着脱せねばならず、煩雑になって、テープカッターのワンタッチの利便性が損なわれてしまう。
そこで、切断刃のむき出し状態を避けて上記の危険を回避し、ワンタッチ使用の利便性も失わないように、切断部における種々の保護手段が従来から提示されてきた。
【０００５】
例えば、最も簡易な構造としては、切断部の刃部の上部に安全棒を渡し設置して、接着テープを刃部と安全棒の間を通す安全手段があるが（特許文献１）、刃部は充分には安全に覆われず、また、テープが切断部から外れた時には、その度に接着テープを刃部と安全棒の間を通さねばならず面倒である。
刃部の露出と収納を自動的にして安全を図り、切断時において、収納した刃部を、接着テープを引き出す際にリール軸に加わる力を利用して露出させる工夫もなされているが（特許文献２）、テープカッターの構造が複雑になり高価になってしまう。
また、接着テープの切断時にのみ刃が直立し接着テープの切断後に直ちに刃が反転して突出しないようにして刃部の危険を避ける手段もあるが（特許文献３）、構造の複雑化は避けられず瞬時の切断ができない。
切断刃の保護カバー体が弾性体により上方に付勢されるように構成され、接着テープを切断する際に、カバー体が切断部より下方に移動するテープカッターも見られるが（特許文献４）、弾性体を設ける構造が簡易ではなく、安価には製造できない。
更に、テープカッターの仕組みを従来とは上下に逆にして、カッターを下向きにして格納し、接着テープの圧力により切断時にカッターが飛び出す構造の採用により、安全を図るテープカッターも開示されているが（特許文献５）、構造が簡易ではなく、切断刃部も直視できないので使用しづらい。
鋸刃状でない切れ味の良い刃を使用し、上下に摺動可能なテープ着留部と、それと共に上下に連動するブレード状とアーム状の刃先ガード機構を設けたテープカッターも提案されているが（特許文献６）、やはりテープカッターの構造が複雑化して高価になってしまう。
【０００６】
以上の各例示にも見られるように、接着テープのテープカッターにおいては、切断刃部が剥き出しになる危険を回避するために、非常に多数の改良工夫がなされているけれども、簡易で安価な構造では、充分な安全が得難く利便性を損なうこともあり、逆に、充分な安全が得られる構造では、構造事体が複雑になって高価になり、また、使用しづらくワンタッチ性が失われてしまうこともあって、簡易で安価な構造を採用して本来の利便性も損なわず切断刃に対して利用者の安全を充分に確保し得る、テープカッターは未だ実現していない現状である。
【０００７】
【特許文献１】特開平９−３０７１７号公報
【特許文献２】特開平９−２８６５５９号公報
【特許文献３】特開平１１−７９５３４号公報
【特許文献４】特開２００２−３０７３７３号公報
【特許文献５】登録実用新案第３１１８３１４号公報
【特許文献６】特開２００６−２９０５７２号公報
【発明の開示】
【発明が解決しようとする課題】
【０００８】
背景技術における段落０００３〜０００６において概述したように、接着テープのテープカッターにおいては、切断刃部が剥き出しになる危険を回避するために、非常に多数の改良工夫がなされているけれども、簡易で安価な構造では、充分な安全が得難く利便性を損なうこともあり、充分な安全が得られる構造では、構造事体が複雑になって高価になり、また、使用しづらくワンタッチ性が失われてしまうこともあって、簡易で安価な構造を採用して本来の利便性も損なわず利用者の安全を充分に確保し得る、テープカッターは未だ実現していない現状である。
しかして、本発明は、かかる実情を鑑みて、このような接着テープ用テープカッターを実現することを、発明が解決すべき課題とするものである。
【課題を解決するための手段】
【０００９】
本発明者は、テープカッターにおけるかかる発明の課題の解決を図るために、従来のテープカッターの各種の安全保護手法を踏まえて、簡易で安価な構造を採用して本来の利便性も損なわず利用者の安全を充分に確保し得る要件を求めて、切断刃部の保護構造や機能作用及びその構造を形成する材料性能や保護具としての利用性などを多面的に考察した。
そして、接着テープのワンタッチ切断と刃部の保護の両機能を共に充分に機能させるには、保護カバー体が、接着テープを切断する際に、切断刃より下方に自動的に降りることが必要であり、簡易で安価な構造のためには、その下方降下動に、接着テープを使用者が指先で摘み引き出す際の、切断部におけるテープの押圧力を利用し、また、その押圧力の付加時にのみ降下し、付加が止まれば上方に復帰移動して保護機能を再びもたらすことも必要であり、その上昇復帰動にカバー材料の弾力性（合成樹脂の弾力性など）を利用すればよいことなどを認識することができ、本発明のテープカッターにおける保護機能具の構成を見い出すに至った。
【００１０】
その下方降下動に、接着テープを使用者が指先で摘み引き出す際の、切断部におけるテープの押圧力を利用し、また、その押圧力の付加時にのみ降下し、付加が止まれば上方に移動して保護機能をもたらすためには、保護具の上方はテープ切断のために長手方向に切り欠かれ（オープン状）、テープの押圧力により保護具が降下しテープ押圧力が除去された時に保護具が上方に復帰するために保護具を適度の柔軟性と弾力性を併せ有する材料により形成すればよい。
【００１１】
より具体的には、保護具が適度な柔軟性と弾力性を併せ有する合成樹脂により略半円筒形状に形成され、略半円筒形状の長手方向が水平になるようにテープカッターの切断部に付設され、長手方向の略半円筒状体の上部には切り欠き部が設けられてテープ切断部とされる。
また、保護具は切断部に直接に接着接合してもよいが、保護具の下部に脚体を設け、台座の切断部に設けられた空隙部に脚体が差し込まれ接合固着されてもよい。
【００１２】
本発明のテープカッターの保護具は、上記のような特異で斬新な構造と作用機能を有するので、（ｉ）接着テープ切断のための保護具の下方降下動に、接着テープを使用者が指先で摘み引き出す際のテープの押圧力を利用し、また、（ｉｉ）その押圧力の付加時にのみ降下し、押圧力の付加が止まれば上方に復帰移動して保護機能をもたらすために、保護具が適度の柔軟性と弾力性を併せ有する材料により形成されて、（ｉｉｉ）簡易で安価な構造を採用して本来の利便性も損なわず、切断刃に対して利用者の安全を充分に確保し得る、特徴を内在している。
【００１３】
ところで、背景技術において前述した従来技術を俯瞰すると、先の特許文献４（特開２００２−３０７３７３号公報）のテープカッターも、切断部には切断刃をカバーするためのカバー体が設けられ、該カバー体は接着テープを切断する際に切断刃より下方に移動すべく構成されているが、実際にはカバー体はバネなどの弾性体で上方に付勢すべく設けられており、図２（ロ）に見られる様に、本発明の保護具とは異なり簡易な構造ではない。そして、本発明の保護具は、段落０００９〜００１２に記載されている特異で斬新な構造と作用機能を有するものであるから、本発明は上記の従来技術とは明白に異なるものである。
【００１４】
以上において、発明の課題を解決するための手段として、本発明の基本的な構成及び特徴に沿って、本発明を概観的に記述したので、ここで、本発明全体をまとめて記載すると、本発明は、次の発明単位群から構成されるものであって、［１］の発明を基本発明とし、それ以下の発明は、基本発明を具体化ないしは実施態様化するものである。なお、発明群全体をまとめて「本発明」という。
なお、本発明は、接着テープに限らず、他のテープについても、同様のテープカッターを使用する限り使用することができるものであるので、以下、本発明はテープに関する発明として記載する。
【００１５】
［１］リング状のテープを回転自在に取り付けるテープ保持部と、引き出されたテープを水平に切断する切断刃が固定される切断部とが台座に設けられたテープカッターにおいて、切断部には、切断刃を安全に覆う柔軟で弾力性を有する保護具が付設され、テープを切断する際には、保護具が保有する柔軟性と弾力性を凌駕して、保護具が引き出されるテープの押圧力によって切断刃より下方に低下して、テープが切断刃により切断され、切断後には保護具がその弾性により上方に復帰することを特徴とする、保護具付き安全テープカッター。
［２］保護具が柔軟性と弾力性を併せ有する合成樹脂により略半円筒形状に形成され、略半円筒形状の長手方向が水平になるように切断部に付設され、長手方向の略半円筒状体の上部には切り欠き部が設けられてテープ切断部とされることを特徴とする、［１］における保護具付き安全テープカッター。
［３］保護具の下部に脚体が備えられ、台座の切断部に設けられた空隙部に脚体が差し込まれ接合固着されることを特徴とする、［２］における保護具付き安全テープカッター。
【発明の効果】
【００１６】
本発明の保護具付き安全テープカッターにおいては、簡易で安価な構造を採用して本来のワンタッチの利便性も損なわずに、切断刃からの利用者の安全を充分に確保し得る。
【発明を実施するための最良の形態】
【００１７】
本発明については、本発明の課題を解決するための手段として、本発明の基本的な構成に沿って以上において記述したが、以下においては、段落００１５に前述した本発明群の発明について、その実施の形態を、図面を参照しながら具体的に詳しく説明する。
【００１８】
１．テープカッターの基本構造
本発明における保護具付き安全テープカッターにおけるテープカッターは、通常に使用されているものであり、図１に例示されるように、テープカッター１においてリング状に巻き重ねられたテープ２を回転体３に固定し、回転体を回転自在に取り付けるテープ保持部４と、引き出されたテープ５を水平状態で一定の長さに切断する切断刃６が固定される切断部７とが台座９に設けられたテープカッターである。
このテープカッターは、通常は任意の合成樹脂により形成され、机上などに載置して使用するときに滑り動きしないように重りが内在されいる。
【００１９】
２．切断刃
切断刃は通常の刃が使用され、引き出されたテープを水平状態で所望の長さに切断する。
図１に例示されるように、切断部７における切断刃６は通常は、微小な刃が波状に連続した、鋸状の金属製の板体刃であり、刃部が上向きに垂直に切断部に一体化されている。
【００２０】
３．保護具
（１）保護具の機能
本発明の保護具は、本発明の主要部を構成し、切断刃を安全に覆う柔軟で弾力性を有する保護具であり、テープカッターを使用しない時に、不用意にその切断刃の刃部に指先や手が触れて小さな切り傷を負ったり、衣服の袖口などを引っ掛けて布地を解れさせる危険を防止する。
【００２１】
（２）保護具の形状と構造
保護具は柔軟性と弾力性を適度に併せ有する合成樹脂により形成され、図１〜３に例示されるように、保護具８，３１は略半円筒形状（チューブの略半割り形状）に形成され、略半円筒形状の長手方向が水平になるように切断部に付設され、長手方向の略半円筒状体の上部には切り欠き部２２が設けられてテープ切断部とされることを特徴とする。
図２は保護具２１を上方から見た形状を示す平面図であり、切り欠き部２２に切断刃２３が内在している。
【００２２】
保護具は、切断部に直接に接着接合してもよいが、図３に例示されるように、保護具３１の下部に脚体３２を設け、台座の切断部に設けられた空隙部に脚体が差し込まれ接合固着されてもよい。図３は保護具を水平（横）方向から見た側面図であり、略半円筒形状に形成されているのが明瞭にされている。
【００２３】
（３）保護具の作用
テープのワンタッチ切断と刃部の保護の両機能を共に充分に働かせるには、保護具（保護カバー体）が、テープを切断する際に、切断刃より下方に自動的に降りることが必要であり、簡易で安価な構造のためには、その下方降下動に、テープを使用者が指先で摘み引き出す際のテープの押圧力（テープを保護具と切断刃に押し当てる押圧下力）を利用し、また、その押圧力の付加時にのみ降下し、付加が止まれば上方に復帰移動して保護機能を再びもたらすことも必要であり、その上昇復帰動にカバー材料の弾力性（合成樹脂の弾力性など）を利用する。
かくして、保護具の作用としては、テープを切断する際には、使用者が指先で摘み把持して引き出されるテープの押圧力が、保護具が保有する柔軟性と弾力性を凌駕して、保護具を切断刃より下方に低下させ、テープが切断刃と接触し押し当たることになって切断刃により切断され、切断後には保護具がその固有の弾性により上方に復帰し、元の形状に復元して保護機能を再発揮する。
【００２４】
（４）保護具の材料
保護具は、上記の作用をなすために、柔軟性と弾力性を適度に併せ有する合成樹脂により形成されるが、合成樹脂の種類は特に限定されず、通常の熱可塑性樹脂が使用され、例えば、ポリ塩化ビニル樹脂やフッ素系樹脂などのハロゲン含有樹脂、ポリエチレンやポリプロピレン樹脂及びそれらのαオレフィンとの共重合体などのポリオレフィン系樹脂、ポリエステル系樹脂、ポリカーボネート樹脂などが、任意に使用できる。
なお、フッ素系の樹脂は、テープが接着テープの場合、切断時に保護具が接着テープと接触しても、粘着することはなくて好適であり、ポリエチレンやポリプロピレン系樹脂は安価で、柔軟性と弾力性を適度に併せ有し、接着テープとも粘着せず、廃棄時の環境汚染もないので好ましく使用される。
【図面の簡単な説明】
【００２５】
【図１】本発明における保護具付き安全テープカッターを例示する、立体斜視図である。
【図２】本発明における保護具の形状を例示する、平面図である。
【図３】本発明における保護具の形状を例示する、側面図である。
【符号の説明】
【００２６】
１；テープカッター              ２；リング状に巻き重ねられたテープ
３；テープ回転体                ４；テープ保持部
５；引き出されたテープ          ６；切断刃
７；切断部                      ８；保護具
９；台座                        ２１；保護具
２２；切り欠き部                ２３；切断刃
３１；保護具                    ３２；保護具の脚体
【図１】
2008195465.tif 000003
【図２】
2008195465.tif 000004
【図３】
2008195465.tif 000005